(57)【要約】記録装置（１）は、プログラムされた記録時間スロット（ＡＺ）の間情報放送の情報信号（ＦＳ）を記録できる。記録時間スロット（ＡＺ）をプログラムするために、記録装置（１）は、記録装置（１）のプログラムモードにおいて、記録装置（１）に接続されたテレビセット（９）によって表示でき時間／日付テーブル（１４，１７）を含むＯＳＤ情報を供給できる。時間／日付テーブル（１４，１７）においては、ユーザにより記録時間スロット（ＡＺ）としてマークできるＮ分の選択時間スロット（ＡＷ）が示され、この結果、記録装置（１）は入力した情報信号（ＦＳ）を記録するためにプログラムされる。
2004516721.tif 000002
【特許請求の範囲】
【請求項１】
プログラムされた記録時間スロット中に情報ブロードキャストの情報信号を記録するための記録装置であって、前記情報信号を入力する入力手段と、記録媒体に前記入力された情報信号を記録するための記録手段と、ＯＳＤ情報を表示するために当該記録装置に接続可能な表示装置に前記ＯＳＤ情報を供給するための表示手段であって、前記ＯＳＤ情報は２次元のグラフィック表示におけるプログラムされた記録時間スロット及び／又はプログラム可能な選択時間スロットを含み、前記２次元のグラフィック表示の第１の次元は時間軸により規定され、前記２次元のグラフィック表示の第２の次元は日付軸により規定される、当該表示手段と、少なくとも１つの選択時間スロットを識別するユーザ情報を入力し、記録時間スロットとしてこの識別される選択時間スロットをマーキングするためのプログラム手段であって、結果として当該記録装置がこの記録時間スロットに入力された前記情報信号を記録するようにプログラムされる、当該プログラム手段とを有する、記録装置。
【請求項２】
前記プログラム手段が前記記録時間スロット中に前記入力手段により入力されるべき前記情報信号として入力されたユーザ情報により識別される前記情報信号を規定し、表示されるＯＳＤ情報のこの記録時間スロットが選択されるとき前記表示手段が前記規定された情報信号を識別する局識別情報を前記ＯＳＤ情報に挿入する、請求項１に記載の記録装置。
【請求項３】
１つ又はそれ以上の表示される選択時間スロットが前記プログラム手段により記録時間スロットとしてマークでき、各選択時間スロットが前記第２の次元に示される日のＮ分の時間間隔を識別する、請求項１に記載の記録装置。
【請求項４】
前記表示手段により供給される前記ＯＳＤ情報がＭ個の連続する日を規定する日付軸と２４時間を規定する時間軸とを含む、請求項１に記載の記録装置。
【請求項５】
前記プログラム手段は、ユーザ情報が入力されることを許容し、このユーザ情報によりその年のＭ個の任意の連続する日が前記日付軸に対して選択され、ＯＳＤ情報として表示される、請求項４に記載の記録装置。
【請求項６】
前記入力手段がプログラム情報を入力し、前記プログラム手段が前記入力されたプログラム情報からプログラムされた情報ブロードキャストのタイトルを取り出し、前記表示手段がこの取り出したタイトルを前記ＯＳＤ情報に挿入する、請求項１に記載の記録装置。
【請求項７】
プログラムされた記録時間スロット中に情報ブロードキャストの情報信号を記録するための記録方法であって、前記情報信号を入力するステップと、前記プログラムされた記録時間スロット中にこの入力された情報信号を記録するステップと、ＯＳＤ情報を表示するために当該記録装置に接続可能な表示装置に前記ＯＳＤ情報を供給するステップであって、前記ＯＳＤ情報は２次元のグラフィック表示におけるプログラムされた記録時間スロット及び／又はプログラム可能な選択時間スロットを含み、前記２次元のグラフィック表示の第１の次元は時間軸により規定され、前記２次元のグラフィック表示の第２の次元は日付軸により規定される、当該供給するステップと、少なくとも１つの表示される選択時間スロットを識別するユーザ情報を入力するステップと、記録時間スロットとしてこの識別される選択時間スロットをマーキングするステップとを有し、この結果として当該記録装置がこの記録時間スロットに入力された前記情報信号を記録するようにプログラムされる、記録方法。
【請求項８】
１つ又はそれ以上の表示される選択時間スロットを記録時間スロットとしてマークするステップであって、各選択時間スロットが前記第２の次元に示される日のＮ分の時間間隔を識別する、当該マークするステップを更に実行する、請求項７に記載の記録方法。
【発明の詳細な説明】
【０００１】
【発明の属する技術分野】
本発明は、プログラムされた記録時間スロット中に情報ブロードキャストの情報信号を記録するための記録装置に関する。
【０００２】
本発明は更に、プログラムされた記録時間スロット中に情報ブロードキャストの情報信号を記録するための記録方法に関する。
【０００３】
【従来の技術】
このような記録装置及び記録方法は、ヨーロッパ公開公報ＥＰ０２４６３９２Ａ２から既知である。この既知の記録装置は、プログラムされたテレビ放送のテレビ信号を記録するための記録手段を持つビデオレコーダの形式を採っている。この既知のビデオレコーダでユーザは、例えば次の日に受信できる選択されたテレビ放送を記録するためにいわゆるタイマーブロックをプログラムできる。この目的のために、ユーザは前置選択キーを動作し、この動作の際、ユーザは記録をプログラムするために必要とされるデータ（テレビ局、記録日、記録開始時間、記録終了時間）を引き続き入力できる。
【０００４】
この既知のビデオレコーダは、前記タイマーブロックで規定された記録時間スロットが前にプログラムされたタイマーブロックの記録時間スロットと重なるときに、タイマーブロックのプログラミングの終了の際に光学的又は音響的な警告信号を作る。この警告信号は、２つのスケジュールされた記録のうちの１つの少なくとも一部が実行できないことをビデオレコーダのユーザに示す。
【０００５】
タイマーブロックのプログラミングの終了後にのみこの既知のビデオレコーダのユーザが、既にプログラムされたタイマーブロックとの重なりの呈示を受けるということは、既知のビデオレコーダの不利益であることがわかった。その上、タイマーブロックをプログラムするのに必要とされる全てのデータの連続的な入力は比較的不便であり、既に入力されたデータを変更することは相対的に難しい。
【０００６】
【発明が解決しようとする課題】
本発明の目的は、上述の欠点が防止された、第１段落に規定されたタイプの記録装置及び第２段落に規定されたタイプの記録方法を提供することである。このような記録装置でこの目的を達成するため、本発明による技術的特徴は、記録装置が以下に規定される態様で特徴付けられて提供される。
【０００７】
【課題を解決するための手段】
プログラムされた記録時間スロット中に情報ブロードキャストの情報信号を記録するための記録装置は、前記情報信号を入力する入力手段と、記録媒体に前記入力された情報信号を記録するための記録手段と、ＯＳＤ情報を表示するために当該記録装置に接続可能な表示装置に前記ＯＳＤ情報を供給するための表示手段であって、前記ＯＳＤ情報は２次元のグラフィック表示におけるプログラムされた記録時間スロット及び／又はプログラム可能な選択時間スロットを含み、前記２次元のグラフィック表示の第１の次元は時間軸により規定され、前記２次元のグラフィック表示の第２の次元は日付軸により規定される、当該表示手段と、少なくとも１つの選択時間スロットを識別するユーザ情報を入力し、記録時間スロットとしてこの識別される選択時間スロットをマーキングするためのプログラム手段であって、結果として当該記録装置がこの記録時間スロットに入力された前記情報信号を記録するようにプログラムされる、当該プログラム手段とを有する。
【０００８】
このような記録方法でこの目的を達成するため、本発明による技術的特徴は、記録方法が以下に規定される態様で特徴付けられて提供される。
【０００９】
プログラムされた記録時間スロット中に情報ブロードキャストの情報信号を記録するための記録方法は、前記情報信号を入力するステップと、前記プログラムされた記録時間スロット中にこの入力された情報信号を記録するステップと、ＯＳＤ情報を表示するために当該記録装置に接続可能な表示装置に前記ＯＳＤ情報を供給するステップであって、前記ＯＳＤ情報は２次元のグラフィック表示におけるプログラムされた記録時間スロット及び／又はプログラム可能な選択時間スロットを含み、前記２次元のグラフィック表示の第１の次元は時間軸により規定され、前記２次元のグラフィック表示の第２の次元は日付軸により規定される、当該供給するステップと、少なくとも１つの表示される選択時間スロットを識別するユーザ情報を入力するステップと、記録時間スロットとしてこの識別される選択時間スロットをマーキングするステップとを有し、この結果として当該記録装置がこの記録時間スロットに入力された前記情報信号を記録するようにプログラムされる。
【００１０】
これは、タイマーブロックをプログラムするために、時間／日付テーブルが記録装置のユーザに対して表示され、このテーブルにおいてユーザが記録装置のキー又は遠隔制御装置により１つ又はそれ以上の選択時間スロットをマークでき、このマークされた選択時間スロットに入力された情報信号の記録を達成できるという利点を持つ。既にマークされた選択時間スロットは、プログラムされた記録時間スロットとして特別な態様でラベル付けされるので、この結果ユーザはタイマーブロックの記録時間スロットが重なるだろうということを他のタイマーブロックをプログラムする前に既に気付くだろう。
【００１１】
請求項２で規定された手段は、タイマーブロックで記録されるべき情報信号の局識別情報が、ユーザがこのタイマーブロックの以前にマークされた記録時間スロットをカーソルで選択するときユーザに表示されるという利点を持つ。
【００１２】
請求項３で規定された手段は、選択時間スロットが所与の数Ｎ（例えば１，３，５，３０又は６０）分を規定し、これら選択時間スロットの幾つかが所望の全体的記録時間を得るために記録時間スロットとして一緒にマークできるという利点を持つ。
【００１３】
請求項４で規定された手段は、何日かの記録時間スロット及び選択時間スロットが時間／日付テーブルで表示できるという利点を持つ。
【００１４】
請求項５で規定された手段は、例えば遠隔制御装置のプログラム選択キーを動作させることによりユーザが時間／日付テーブルのその年の任意の他の日を表示でき、このようにして表示された日での記録時間スロットとして選択時間スロットをマークできるという利点を持つ。
【００１５】
請求項６で規定された手段は、タイマーブロックのプログラムの後でプログラミング手段がプログラムされた情報ブロードキャストのタイトルに対する入力手段により入力されたプログラム情報を検索でき、このタイマーブロックの記録時間スロットがカーソルで選択されるときＯＳＤ情報にこのタイトルを表示するという利点を持つ。
【００１６】
以下に、本発明は図を参照して詳細に述べられ、本発明の実施例が例示として制限されずに示される。
【００１７】
【発明の実施の形態】
図１は、プログラムされた記録時間スロットＡＺ中に、テレビ放送のテレビ信号ＦＳを記録するハードディスクレコーダ１を示す。アンテナ２は、ハードディスクレコーダ１に接続され、アンテナ信号ＡＳをハードディスクレコーダ１の入力手段３に供給できる。
【００１８】
入力手段３はチューナ４を含み、このチューナ４によりアンテナ信号ＡＳに含まれる複数のテレビ信号ＦＳの１つが選択できる。このように、チューナ４に与えられるチューナ情報ＴＩにより識別されるテレビ信号ＦＳはアンテナ信号ＡＳから選択される。
【００１９】
ハードディスクレコーダ１は更に、記録担体上に入力したテレビ信号ＦＳを記録するための記録手段５を含む。この目的のために、記録手段５はハードディスク６及び記録段７を含む。ハードディスクレコーダ１の記録モード時に動作情報ＡＡＩを記録することが記録段７に適用され、その際入力したテレビ信号ＦＳは記録段７により処理され、記録データＡＤとしてハードディスク６に記録される。ハードディスク６に記録できるデジタル記録データＡＤを得るためのアナログテレビ信号ＦＳの処理は当業者に知られているので、ここではこれ以上詳細には説明しない。
【００２０】
ハードディスクレコーダ１の記録モードにおいて、再生動作情報ＷＡＩが記録段７に供給され、その際記録段７は再生データＷＤとしてハードディスク６に記録された記録データＡＤを読む。このようにして読まれた再生データＷＤは記録段７により処理され、再生されたテレビ信号ＷＦＳとしてハードディスクレコーダ１の出力段８に供給される。
【００２１】
テレビセット９は、ハードディスクレコーダ１に接続され、ハードディスクレコーダ１により供給された表示情報ＤＩを表示するための表示装置を形成する。ハードディスクレコーダ１の再生モード時に、出力段８は再生されたテレビ信号ＷＦＳを表示情報ＤＩとしてテレビセット９へ供給し、テレビセット９により表示される。
【００２２】
ハードディスクレコーダ１は更にＯＳＤ生成器１０を含み、ＯＳＤ情報ＯＳＤ（オンスクリーンディスプレイ）を出力段８に供給するための表示手段を形成する。ハードディスクレコーダ１のプログラムモード時に、ＯＳＤ情報ＯＳＤは前記チューナにより供給されたテレビ信号ＦＳ上に重畳され、これら信号は表示情報ＤＩとしてテレビセット９に与えられる。図２は、グラフィック情報１１としてプログラムモード時にテレビセット９により表示される表示情報ＤＩを示す。
【００２３】
ハードディスクレコーダ１は更にキーパッド１２及びコントローラ１３を持ち、コントローラ１３は選択時間スロットＡＷの少なくとも１つを識別するユーザ情報ＢＩをキーパッド１２から入力し、記録時間スロットＡＺとしてこの識別された選択時間スロットＡＷをマークするためのプログラム手段を形成する。これは、ハードディスクレコーダ１の使用の以下の例により明らかになるだろう。
【００２４】
使用の第１の実施例では、ハードディスクレコーダ１のユーザは、テレビ局ＣＮＮからのテレビ信号ＦＳで受信されるべきテレビ放送を次の金曜日の午後７時から午後９時まで記録するために、月曜日にいわゆるタイマーブロックをプログラムしたいとする。この目的のため、ユーザはキーパッド１２のプログラムキーを動作し、このとき対応するユーザ情報ＢＩがキーパッド１２からコントローラ１３へ与えられる。次に、コントローラ１３はハードディスクレコーダ１のプログラムモードを動作し、プログラム情報ＰＲＩをＯＳＤ生成器１０へ供給し、このときグラフィック情報１１がテレビセット９に表示される。
【００２５】
グラフィック情報１１は、２次元の時間／日付テーブル１４の第１の次元においては時間軸ＺＡにより規定され、２次元の時間／日付テーブル１４の第２の次元においては日付軸ＤＡにより規定される、時間／日付テーブル１４を含む。時間軸ＺＡは１日を２４時間で分割され、日付軸は１週間を７日で分割されている。結果としてパターンは、現在の週の選択時間スロットＡＷを形成する。
【００２６】
キーパッド１２のキーは、グラフィック情報１１のブラック領域で示されるように、時間／日付テーブル１４内の所望の選択時間スロットＡＷにカーソルＣを位置付けるために、ユーザ情報ＢＩをコントローラ１３へ付与できる。選択時間スロットＡＷの各々は、日付軸ＤＡに示される日の時間間隔３０分に対応する。コントローラ１３は、ユーザ情報ＢＩに対応するカーソル位置情報ＣＰＩをＯＳＤ生成器１０に供給し、ユーザにより所望される位置でのカーソルＣを表示するためにテレビセット９に供給されるＯＳＤ情報ＯＳＤを変形する。
【００２７】
使用の第１の実施例においては、現在の週に対してユーザは、他のテレビ放送の記録のために６つの他のタイマーブロックを既にプログラムし、これらブロックは時間／日付テーブル１４のマークされた記録時間スロットＡＺにより識別されると更に仮定する。この場合、ユーザは、月曜日から木曜日まで午後７時から午後７時半までテレビ局ＯＲＦ１から受信されるべきテレビ放送「Ｚｅｉｔ ｉｍ Ｂｉｌｄ」を記録するために、４つのタイマーブロックをプログラムした。時間／日付テーブル１４では、対応する選択時間スロットが、記録時間スロットＡＺ１、ＡＺ２、ＡＺ３及びＡＺ４としてマークされる（明るい領域）。金曜日の午後８時から午後１１時までテレビ局ＺＤＦによるテレビ放送のテレビ信号ＦＳを記録するための５番目のタイムブロックが、記録時間スロットＡＺ５として表示され、日曜日の午後８時から夜１２時までテレビ局ＡＲＤによるテレビ放送のテレビ信号ＦＳを記録するための６番目のタイマーブロックが、記録時間スロットＡＺ６として表示される。
【００２８】
時間／日付テーブル１４のプログラムされたタイマーブロックの記録時間スロットＡＺのこの種の２次元表現は、ユーザが現在の週のために既にプログラムされた全てのタイマーブロックの全体像を持つという利益を持つ。記録時間スロットＡＺ５のため、ユーザは、ハードディスクレコーダ１が、ユーザにより所望された午後７時から午後９時までのテレビ局ＣＮＮからのテレビ信号ＦＳの記録と時間的に重なることになる、金曜日の午後８時から午後１１時までテレビ局ＺＤＦからのテレビ信号ＦＳを記録するために既にプログラムされていることを直接的に示される。これは、新しいタイマーブロックがプログラムされる前に、ユーザは重なりが起こるだろうことを検出し、適切な変更をなすことができるという利益を持つ。
【００２９】
使用の第１の実施例においては、テレビ局ＣＮＮから受信できるテレビ放送の終わりは、金曜日で既にプログラムされたテレビ局ＺＤＦによるテレビ放送の始まりよりユーザにとって興味がないとユーザが考えていると仮定する。したがって、ユーザは記録時間スロットＡＺ５を変更しないままでカーソルＣを金曜日の午後７時から午後７時半までの選択時間スロットＷＡ１に位置合わせを行い、キーパッド１２のマークキーを動作させ、この結果ハードディスクレコーダ１のマークモードが動作する。
【００３０】
ハードディスクレコーダ１のマークモードにおいて、カーソルが位置合わせされたその日の全ての選択時間スロットＡＺは、マークモードが動作しなくなるまでマークされる。使用の第１の実施例では、ユーザは、カーソルＣが選択時間スロットＡＷ１に位置合わせされるときマークモードを動作させる。次に、ユーザは、選択時間スロットＡＷ２にカーソルを位置合わせし、それからマークモードの動作をやめ、この結果として選択時間スロットＡＷ１及びＡＷ２は、記録時間スロットとしてマークされる。最終的に、ユーザは、キーパッド１２のプログラム選択キーを動作させ、金曜日の午後７時から午後８時までの記録時間スロットの間記録のためにテレビ局ＣＮＮのテレビ信号ＦＳを選択する。
【００３１】
このことは、この週の金曜日にテレビ局ＣＮＮからのテレビ信号ＦＳが午後７時から午後８時まで、テレビ局ＺＤＦからのテレビ信号ＦＳが午後８時から午後１１時までハードディスクレコーダ１のハードディスクに記録されるという利益を持つ。このように、従来の記録装置ではいつも衝突していた重畳するタイマーブロックをプログラムすることは、決して起こりえない。
【００３２】
ハードディスクレコーダ１のプログラムモード時にキーパッドのキーを動作させることにより、ユーザは記録のために既にマークされた記録時間スロットＡＺにカーソルＣを位置付けることができ、この際に現在の記録時間スロットＡＺに記録されるべきテレビ信号ＦＳのテレビ局を識別する局識別情報ＳＫＩが表示される。このことは、時間／日付テーブル１４に示される記録時間スロットの１つを選択する際にこのタイマーブロックの全てのデータがユーザに表示され、ユーザはこれらのデータが正しいかをチェックできる。
【００３３】
ハードディスクレコーダ１の入力手段３は、更にＴＣＰ／ＩＰプロトコルを処理するために適応したインタフェース１５を含み、したがってインターネットＮＥＴから情報を取り出せる。記録時間スロットＡＺをマークするためのマークモードの動作をやめた後で、コントローラ１３は、インターネットＮＥＴに接続されるＥＰＧサーバ１６のインターネットアドレスを含むアドレス情報ＡＩをインタフェース１５へ供給する。ＥＰＧサーバ１６は、この週の多数のテレビ局によりスケジュールされたテレビ放送のプログラム情報ＰＩを記憶している。
【００３４】
アドレス情報ＡＩが入力されたとき、インタフェース１５は、プログラムされたテレビ放送に対するＥＰＧサーバ１６に記憶されたプログラム情報ＰＩを検索する。このようにして取り出されたプログラム情報ＰＩは、テレビ放送のタイトルＴ、放送開始時間、放送終了時間、テレビ放送のＶＰＳコード及びテレビ放送の要約Ｚを含む。インタフェース１５により入力されたプログラム情報ＰＩは、インタフェース１５からコントローラ１３へ付与され、プログラムされているテレビ放送ＦＳの要約Ｚ及びタイトルＴを決定し、ＯＳＤ情報へ挿入する。
【００３５】
図３は、テレビセット９により表示されるグラフィック情報１８の時間／日付テーブル１７を表示する他の方法を示す。コントローラ１３によりプログラム情報ＰＩから取り出される、記録時間スロットＡＺ７にプログラムされたプログラム済みテレビ放送の要約Ｚ及びタイトルＴが、グラフィック情報１８に表示される。
【００３６】
このことは、ユーザが記録時間スロットＡＺ７として所与の選択時間スロットＡＷを簡単にマークされたが、この記録時間スロットＡＺ７のテレビ局ＲＴＬから将来受信されるべきテレビ放送の要約及びタイトルが、ユーザに対して表示されるという利益を持つ。したがって、ユーザは電子プログラムガイドを基に既知の記録装置のしばしば相対的に複雑なプログラム方法に精通している必要はないし、追加のプログラム情報ＰＩの利益も持つ。
【００３７】
グラフィック情報１８のスクロール情報ＳＩにより示されるように、ユーザは、記録時間スロットとしてこの選択された週の選択時間スロットをマークするために表示用のその年の任意の週を選択するキーパッドのキーを動作できる。このことは、ユーザが、数週間及び数ヶ月先のテレビ放送の記録のためにタイマーブロックをプログラムできるという利益を持つ。
【００３８】
本発明による記録装置は下記のほかの記録媒体への記録にも適応することに留意されたい。磁気テープ、光学的蓄積媒体、磁気光学的蓄積媒体、リードオンリーメモリである。
【００３９】
表示されたグラフィック情報の時間／日付テーブルは１，２，３だけでなく２０日を持つ日付軸を持っても良いことに留意されたい。その日の時間軸ＺＡの全２４時間がグラフィック情報に可視でなければならない必要はない。時間軸の一部が、スクロール機能を通して表示されてよい。
【００４０】
記録装置は音声情報（音楽、スピーチ等）だけを含む情報信号を記録するのに適応してもよいことに留意されたい。
【００４１】
プログラム情報は、入力された情報信号（例えば、テレテキストを含むテレビ信号）から取り出されても良いことに留意されたい。
【００４２】
選択時間スロットのマーキングは、多数の種々の態様で効果的であることに留意されたい。例えば、マークされた選択時間スロットは、記録されるべきテレビ放送のタイトルＴＩ又は局の識別情報ＳＫＩを表示するのに使用されても良い。
【図面の簡単な説明】
【図１】時間／日付テーブルの選択時間スロットが、テレビ放送のテレビ信号の記録をプログラムするために、プログラムモードにおいて記録時間スロットとしてマークできるハードディスクレコーダを示す。
【図２】ハードディスクレコーダ１の表示手段により生成され、ハードディスクレコーダに接続されるテレビセットにより表示されるグラフィック情報を示す。
【図３】ハードディスクレコーダ１の表示手段により生成でき、時間／日付テーブルも含むほかのグラフィック情報を示す。
【国際公開パンフレット】
2004516721.tif 000003
2004516721.tif 000004
2004516721.tif 000005
2004516721.tif 000006
2004516721.tif 000007
2004516721.tif 000008
2004516721.tif 000009
2004516721.tif 000010
2004516721.tif 000011
2004516721.tif 000012
2004516721.tif 000013
2004516721.tif 000014
2004516721.tif 000015
2004516721.tif 000016
【国際調査報告】
2004516721.tif 000017
2004516721.tif 000018
2004516721.tif 000019